(57)【要約】【課題】インターフェース回路と本体回路部とが分離して設けられているリアプロジェクタであって、両回路間の信号伝送によるＥＭＩノイズを低減した、低コストなリアプロジェクタを提供すること。【解決手段】画像信号を入力するためのインターフェース回路部１０６と分離して設けられ、インターフェース回路部１０６からの画像信号が入力される本体回路部１０７と、画像信号に応じて変調された画像を投写する投写レンズ１０３とを有する。インターフェース回路部１０６と本体回路部１０７とは無線接続部接続部又はＴＭＤＳやＬＶＤＳ等のデジタルシリアルインターフェース接続部等の伝送部で接続され、インターフェース回路部１０６から本体回路部１０７に対して画像信号を配線長に影響される事なく伝送可能とする。【選択図】      図１
2005033370.tif 000002
【特許請求の範囲】
【請求項１】
照明光を供給する光源部と前記光源部からの光を画像信号に応じて変調して射出する電気光学装置とを有する投写光生成部と、
前記画像信号を入力するためのインターフェース回路部と、
前記インターフェース回路部と分離して設けられ、前記インターフェース回路部からの前記画像信号が入力される本体回路部と、
前記画像信号に応じて変調された画像を投写する投写レンズとを有し、
前記インターフェース回路部と前記本体回路部とは無線接続部又はデジタルシリアルインターフェース接続部の伝送部で接続され、
前記インターフェース回路部から前記本体回路部に対して前記画像信号を配線長による影響が低減された状態で伝送可能とすることを特徴とするリアプロジェクタ。
【請求項２】
前記インターフェース回路部は、前記画像信号のうち画像の動きが生じている領域を検出するための動き検出部と、前記動き検出部により検出された動きが生じている画像信号のみを前記本体回路部に対して送り出すための動き領域画像出力部とを有することを特徴とする請求項１に記載のリアプロジェクタ。
【請求項３】
前記インターフェース回路部は、少なくとも入力される前記画像信号の種類に応じた入力基板部や前記本体回路部に信号を送出する前記無線接続部又はデジタルシリアルインターフェース接続部の伝送部が挿脱自在なスロット形式を有することを特徴とする請求項１に記載のリアプロジェクタ。
【請求項４】
前記無線接続部は、前記インターフェース回路部に設けられた光送信部と前記本体回路部に設けられた光受信部と、送受信部の光軸調整用の光軸調整手段とからなることを特徴とする請求項１に記載のリアプロジェクタ。
【請求項５】
前記インターフェース回路部は、入力された前記画像信号をデジタル画像圧縮処理するためのエンコーダ部を有し、
前記本体回路部は、前記デジタル画像圧縮された前記画像信号が入力されるデコーダ部を有することを特徴とする請求項４に記載のリアプロジェクタ。
【発明の詳細な説明】
【０００１】
【発明の属する技術分野】
本発明は、リアプロジェクタ、詳細には画像信号が入力されるインターフェース回路部と本体回路部とが分離して設けられているリアプロジェクタに関する。
【０００２】
【従来の技術】
近年、デジタル放送が開始されている。これに伴い、このデジタル放送をスクリーンに拡大して投写するリアプロジェクタの高精細化、高輝度化が進んでいる。また、リアプロジェクタのうち、特に液晶表示タイプのリアプロジェクタは市場における数量が増加し、そのサイズも大型化している。
【０００３】
例えば、リアプロジェクタの一般的なスクリーンサイズは５０〜６０インチ程度である。スクリーンサイズが５０インチのリアプロジェクタの奥行き寸法は、およそ４０〜５０ｃｍである。このように、リアプロジェクタ自体のサイズが大型化している。
リアプロジェクタへ信号を入力するためのインターフェース回路部と、ディスプレイ駆動回路などの本体回路部とを一体型に形成した場合、又はインターフェース回路部の基板と本体回路部の基板との基板同士を接続した場合は、基板サイズが大型化してしまい非効率的でコスト高である。
【０００４】
このため、リアプロジェクタへ信号を入力するためのインターフェース回路部は、リアプロジェクタ本体の背面部に略垂直に設けられている。さらに、ディスプレイ駆動回路などの本体回路部は、リアプロジェクタ本体内部の底辺部に配置されている光学エンジン部上の略水平に設けられている。このように、インターフェース回路部と本体回路部とを分離配置することにより、上記大型化の問題を回避することができる。
【０００５】
【発明が解決しようとする課題】
しかしながら、インターフェース回路部と本体回路部とが分離して配置される場合、両回路間を接続するためのケーブルが必要となる。ここで、インターフェース回路部の入力端子数が多くなると、ケーブル数や芯線数も増加してしまう。ここで、ケーブルで高周波信号を伝送する場合、又はケーブル数が多い場合に不要な輻射ノイズである電磁妨害ノイズ（Ｅｌｅｃｔｒｏｍａｇｎｅｔｉｃ  Ｉｎｔｅｒｆｅｒａｎｃｅ  Ｎｏｉｓｅ、以下「ＥＭＩノイズ」という。）が増加してしまい問題である。特に、多くのケーブル数で高周波信号を伝送する場合は、この問題が顕著となる。さらに、このＥＭＩノイズを防止するためにはＥＭＩノイズ防止手段を別途設ける必要がある。このため、コストが増加してしまうという問題も生ずる。
本発明は、上記課題に鑑みてなされたものであり、インターフェース回路部と本体回路部とが分離して設けられているリアプロジェクタであって、両回路間の信号伝送によるＥＭＩノイズを低減した低コストなリアプロジェクタを提供することを目的とする。
【０００６】
【課題を解決するための手段】
上記課題を解決し、目的を達成するために、本発明は、照明光を供給する光源部と前記光源部からの光を画像信号に応じて変調して射出する電気光学装置とを有する投写光生成部と、前記画像信号を入力するためのインターフェース回路部と、前記インターフェース回路部と分離して設けられ、前記インターフェース回路部からの前記画像信号が入力される本体回路部と、前記画像信号に応じて変調された画像を投写する投写レンズとを有し、前記インターフェース回路部と前記本体回路部とは無線接続部又はデジタルシリアルインターフェース接続部の伝送部で接続され、前記インターフェース回路部から前記本体回路部に対して前記画像信号を配線長による影響が低減された状態で伝送可能とすることを特徴とするリアプロジェクタを提供する。ここで、デジタルインターフェースとしては、ＴＭＤＳ（Ｔｒａｎｓｉｔｉｏｎ  ｍｉｎｉｍｉｚｅｄ  Ｄｉｆｆｅｒｅｎｔｉｏａｌ  Ｓｉｇｎａｌｉｎｇ）やＬＶＤＳ（Ｌｏｗ  Ｖｏｌｔａｇｅ  Ｄｉｆｆｅｒｅｎｔｉａｌ  Ｓｉｇｎａｌｉｎｇ）等を用いることができる。また、配線長による影響が低減された状態で伝送可能とするとは、配線長に影響される事なく伝送可能とすることをいう。これにより、簡便な構成でＥＭＩノイズを低減することができる。この結果、ノイズが低減された良好な画質の投写像を得られる。
【０００７】
また、本発明の好ましい態様によれば、前記インターフェース回路部は、前記画像信号のうち画像の動きが生じている領域を検出するための動き検出部と、前記動き検出部により検出された動きが生じている画像信号のみを前記本体回路部に対して送り出すための動き領域画像出力部とを有することが望ましい。これにより、送信する画像信号の帯域を低減することによりＥＭＩノイズを低減できる。
【０００８】
また、本発明の好ましい態様によれば、前記インターフェース回路部は、少なくとも入力される前記画像信号の種類に応じた入力基板部や前記本体回路部に信号を送出する前記無線接続部又はデジタルシリアルインターフェース接続部の伝送部が挿脱自在なスロット形式を有することが望ましい。これにより、ユーザは任意に入力基板部や伝送部のスロットを選択できる。また、設計変更があった場合にも簡単に対応できる。
【０００９】
また、本発明の好ましい態様によれば、前記無線接続部は、前記インターフェース回路部に設けられた光送信部と前記本体回路部に設けられた光受信部と、送受信部の光軸調整用の光軸調整手段とからなることが望ましい。これにより、リアプロジェクタの光学調整をした場合のようなインターフェース回路部と本体回路部との相対的な位置関係の変化にも容易に対応できる。更に、光軸調整手段を有しているため、組み立て時に簡単に位置合わせが可能になる。
【００１０】
また、本発明の好ましい態様によれば、前記インターフェース回路部は、入力された画像信号をデジタル画像圧縮処理するためのエンコーダ部を有し、前記本体回路部は、前記デジタル画像圧縮された画像信号が入力されるデコーダ部を有することが望ましい。これにより、画像信号をより少ない帯域のデータとして送ることでＥＭＩノイズをさらに低減できる。
【００１１】
【発明の実施の形態】
以下、本発明の実施形態を、添付図面を参照して説明する。なお、この実施形態によってこの発明が限定されるものではない。
（第１実施形態）
図１は、本発明の第１実施形態に係るリアプロジェクタ１０１の概略構成を示す図である。図１では、説明を容易にするために、主要な構成要素のみを示す。
【００１２】
まず、リアプロジェクタ１０１の全体構成を説明する。投写光生成部１０２からの光は、投写レンズ１０３を経由して射出する。反射ミラー１０４は、投写レンズ１０３が射出した投写光の光軸ＡＸを折り曲げて反射する。透過型のスクリーン部１０５は、反射ミラー１０４で反射された投写光による投写画像を表示する。
【００１３】
投写光生成部１０２は、不図示の照明光を供給する光源部とこの光源部からの光を画像信号に応じて射出する電気光学装置とを有する。投写光生成部１０２からの光は、投写レンズ１０３を経由して広がりながら反射ミラー１０４へ入射する。次に、反射ミラー１０４は、スクリーン部１０５側へ投写光を反射する。反射された投写光は、光軸ＡＸがスクリーン面に対して略垂直となるようにスクリーン部１０５に入射する。スクリーン部１０５は、投写光を透過させて、画像として表示する。
【００１４】
また、リアプロジェクタ１０１の背面部には、不図示の画像信号出力装置からの画像信号が入力されるインターフェース回路部１０６が設けられている。さらに、投写光生成部１０２には、インターフェース回路部１０６からの画像信号が入力される本体回路部１０７が設けられている。そして、インターフェース回路部１０６と本体回路部１０７とは例えば単一のケーブル線１０８で接続されている。インターフェース回路部１０６は、本体回路部１０７に対して単一のケーブル線１０８を介して画像信号を送信する。
また、インターフェース回路部１０６と本体回路部１０７とは、ＴＭＤＳやＬＶＤＳ等のデジタルシリアルインターフェース接続部等の伝送部で接続しても良い。そして、インターフェース回路部１０６から本体回路部１０７に対して画像信号を配線長による影響が低減された状態で、換言すると配線長に影響されることなく伝送する。
【００１５】
図２（ａ）は、インターフェース回路部１０６と本体回路部１０７との概略構成を示す図である。インターフェース回路部１０６は、例えばＤ−ＳＵＢ端子、ＢＮＣ端子、Ｄ端子、Ｓ−Ｖｉｄｅｏ端子、Ｃ−Ｖｉｄｅｏ端子などの入力端子を備えている。そして、インターフェース回路１０６は、これらの端子から入力される画像信号を切り替えるための入力セレクタ回路、出力バッファ回路、制御部、画像の動きを検出する動き検出回路、差分画像生成回路、動き領域画像出力回路等の回路を有している。
【００１６】
また、本体回路部１０７は、入力バッファ回路、スケーリング回路、Ｉ／Ｐ変換回路、ＣＰＵ、電源部、ディスプレイ駆動回路、動き領域画像生成回路等を有している。例えば、パーソナルコンピュータからの画像信号がＤ−ＳＵＢ端子から入力された場合を考える。インターフェース回路部１０６内の入力セレクタ回路は、入力端子としてＤ―ＳＵＢ端子を選択する。そして、インターフェース回路部１０６は、パーソナルコンピュータからの画像信号のみを出力する。これにより、画像信号を伝送する場合のＥＭＩノイズを低減することができる。
【００１７】
次に、本実施形態のさらに詳細について図２（ｂ）を参照して説明する。インターフェース回路部１０６に入力される画像信号が、動きのある映像の画像信号である場合について説明する。インターフェース回路部１０６に複数の画像信号、例えば入力１、入力２、入力３、・・・入力ｎが入力された場合、上述のようにインターフェース回路部１０６の入力セレクタ回路２０１は、いずれか一つの入力を選択する。選択された画像信号はフレームメモリ２０２に記憶される。また、インターフェース回路部１０６内の動き領域検出回路２０３は、図２（ｃ）に示すように選択された画像２００を例えば１〜９の９個の領域に分割する。
【００１８】
図２（ｂ）に戻って、動き領域検出回路２０３は、画像２００の分割された各領域１〜９についてブロックパターンマッチング法等を用いて動きベクトルを検出する。ここで、領域ごとに基準フレームと前後のフレームとの差分を検出する。動き領域画像出力回路２０４は、画像２００全体のうち動きベクトルが検出された領域の画像信号のみを出力する。本体回路部１０７内のＣＰＵ２０５は、インターフェース回路部１０６と本体回路部１０７との信号の送受信等の制御を行う。
【００１９】
なお、ここで動きベクトルが検出された領域の画像信号を出力すること、画像の変化点の周辺画像のみの画像信号を出力すること、又は領域をさらに細かく分割して部分的な画像信号を出力することのいずれでも良い。さらに、動画像のデジタル符号化規格の一つであるＭＰＥＧ−４と同様にオブジェクト形式で個々の画像データを分割しても良い。ＭＰＥＧ−４については後述する。
本実施形態によれば、インターフェース回路部と本体回路部とが分離して設けられているリアプロジェクタであって、両回路間の信号伝送によるＥＭＩノイズを低減した、低コストなリアプロジェクタを提供することができる。
【００２０】
（第２実施形態）
図３は、本発明の第２実施形態に係るリアプロジェクタのインターフェース回路部と本体回路部との概略構成を示す図である。その他の構成は上記第１実施形態と同様であるので図示及び重複する説明を省略する。
本実施形態では、インターフェース回路部３００は、入力される画像信号の種類に応じた複数の入力基板部３０１、３０２、３０３と、この入力基板部を挿脱自在なサブボードを有するスロット基板部３０４を有する。
【００２１】
例えば、入力１基板３０１はＤ−ＳＵＢ端子、入力２基板３０２はＢＮＣ端子、入力ｎ基板３０３はＤＶＩ信号用端子にそれぞれ接続可能である。スロット基板部３０４はサブボードを有しており、ユニット化されている。このため、ユーザは各基板を挿入するスロットを任意に選択できる。また、設計変更が生じた場合にも簡単に対応できる。
【００２２】
また、スロット基板部３０４と本体回路部３０５とは例えば単一のケーブル線３０６で接続されている。スロット基板部３０４は、上記第１実施形態と同様に、一度に一つの基板からの画像信号を出力する。なお、スロット基板部３０４と本体回路部３０５とは、ケーブル線３０６による接続に限られず、以下の実施形態で述べるような非ケーブル線によるワイヤレス接続でも良い。
また、後述するワイヤレス接続部又はデジタルシリアルインターフェース接続部の伝送部が挿脱自在なスロット形式を有していても良い。これにより、ユーザは任意に入力基板部や伝送部のスロットを選択できる。また、設計変更があった場合にも簡単に対応できる。
【００２３】
本実施形態の構成によれば、複数の基板３０１〜３０３を適宜スロット基板部３０４に容易に挿脱できる。従来は、使用しない入力端子も常に並列されて設けられていたので、スペース的にも無駄な端子が多かった。これに対して、本実施形態では、使用する基板のみをスロット基板部３０４に挿入する。この結果、効率よくスロット基板周辺のスペースを使用できる。
【００２４】
さらに好ましくは、ケーブル線３０６で伝送する信号をＰａｎｅｌ  ＬｉｎｋやＰＶ  Ｌｉｎｋなどの差動信号による低ＥＭＩノイズ信号とすることが望ましい。これにより、単一のケーブル線で、かつ低ＥＭＩノイズ信号を送るため、さらにＥＭＩノイズを低減することができる。
【００２５】
（第３実施形態）
図４（ａ）、（ｂ）は、それぞれ本発明の第３実施形態に係るリアプロジェクタのインターフェース回路部４００と、本体回路部４０３との構成を示す図である。本実施形態はインターフェース回路部４００と本体回路部４０３との接続をワイヤレス化している点が上記実施形態と異なる。その他の構成は上記実施形態と同様であるので重複する説明は省略する。
【００２６】
画像は上記実施形態で述べたように、複数の領域に分割される。そして、インターフェース回路部４００には分割された各領域ごとに対応して設けられている送信用発光ダイオード（以下、「ＬＥＤ」という。）アレイ４０１が設けられている。同様に、送信用ＬＥＤアレイ４０１に対応して本体回路部４０３に受信用ＬＥＤアレイ４０４が設けられている。ＬＥＤとしては、例えば赤外線ＬＥＤ等を用いることができる。
【００２７】
インターフェース回路部４００と本体回路部４０３とをＬＥＤによる無線伝送とすることで、内部配線をワイヤレス化できる。これにより、例えばリアプロジェクタの光学調整を行って、インターフェース回路部４００と本体回路部４０３との相対的位置関係が変化した場合でも容易に対応することができる。
さらに好ましくは、インターフェース回路部４００は、入力された画像信号をデジタル画像圧縮処理するためのエンコーダ部４０２を有していることが望ましい。また、本体回路部４０３は、デジタル画像圧縮処理された画像信号をアナログ変換するためのデコーダ部４０４を有していることが望ましい。また、送受信部の光軸を調整するための光軸調整手段４０６ａ、４０６ｂを有することが望ましい。これにより、組み立て時に簡単に位置合わせが可能となる。
【００２８】
デジタル画像圧縮処理の例として上述のＭＰＥＧ−４などを用いることができる。ＭＰＥＧ−４では、画像全体をオブジェクト単位に分割して扱う。このため、画像全体の信号の代わりに、各オブジェクトの信号を送信できる。この結果、伝送信号の帯域（周波数）を低減できるのでＥＭＩノイズを減らすことができる。
また、本発明は、リアプロジェクタに限られず、信号が入力されるインターフェース回路部と、ディスプレイ駆動回路等を有する本体回路部とが分離して設けられているあらゆる画像表示装置にも適用可能である。
【図面の簡単な説明】
【図１】第１実施形態のリアプロジェクタの概略構成を示す図。
【図２】（ａ）は上記第１実施形態のインターフェース回路部と本体回路部との概略構成を示す図、（ｂ）は上記第１実施形態のインターフェース回路部と本体回路部とのブロック図、（ｃ）は画像領域の分割の様子を示す図。
【図３】第２実施形態のリアプロジェクタのインターフェース回路部と本体回路部との構成を示す図。
【図４】（ａ）、（ｂ）は第３実施形態に係るリアプロジェクタのインターフェース回路部と本体回路部との構成を示す図。
【符号の説明】
１０１  リアプロジェクタ、１０２  投写光生成部、１０３  投写レンズ、１０４  反射ミラー、１０５  スクリーン部、１０６  インターフェース回路部、１０７  本体回路部、１０８  ケーブル線、２００  画像、２０１  入力セレクタ回路、２０２  フレームメモリ、２０３  動き領域検出回路、２０４  動き領域画像出力部、２０５  ＣＰＵ、２０６  本体回路部、３００  インターフェース回路部、３０１  入力１基板、３０２  入力２基板、３０３  入力ｎ基板、３０４  スロット基板部、３０５  本体回路部、３０６  ケーブル線、４００  インターフェース回路部、４０１  送信用ＬＥＤアレイ、４０２  エンコーダ部、４０３  本体回路部、４０４  受信用ＬＥＤアレイ、４０５  デコーダ部
【図１】
2005033370.tif 000003
【図２】
2005033370.tif 000004
【図３】
2005033370.tif 000005
【図４】
2005033370.tif 000006